(57)【要約】      （修正有）【課題】応答器から質問器に返信される利用者の個人情報のセキュリティを確保する。【解決手段】応答器は、アンテナ切換え器によりアンテナ（Ｇ  一般）に切換えて（Ｓ１１０）、質問波を受信したか否か判断する（Ｓ１２０）。質問波を受信して、応答情報を返信する場合は（Ｓ１４０：ＹＥＳ）、一般情報を返信する（Ｓ１４０）。次に、アンテナ切換え器によりアンテナ（Ａ  公開）に切換え（Ｓ１５０）、質問波を受信したか否か判断する（Ｓ１６０）。質問波を受信し応答情報を返信する場合は（Ｓ１７０：ＹＥＳ）、公開情報を返信する（Ｓ１８０）。次に、アンテナ切換え器によりアンテナ（Ｐ  個人）に切換え（Ｓ１９０）、質問波を受信したか否か判断する（Ｓ２００）。質問波を受信し応答情報を返信する場合は（Ｓ２１０：ＹＥＳ）、個人情報を返信する（Ｓ２２０）。【選択図】        図６
2004297700.tif 000002
【特許請求の範囲】
【請求項１】
質問器から送信される質問波をアンテナで受信するとともに、前記質問器に対して前記質問波を応答情報により変調し、前記アンテナにより反射して返信する通信システムの応答器であって、
複数の前記応答情報を記憶する記憶手段と、
前記記憶手段に記憶された複数の前記応答情報の内、いずれの前記応答情報で返信するかを選択する応答情報選択手段とを備えたことを特徴とする通信システムの応答器。
【請求項２】
前記応答情報選択手段は、応答器本体が収納される、または前記応答器本体に取り付けられる前記応答器本体を保護するカバーであって、
前記カバーの有無、及び前記カバーと前記応答器本体との位置関係の少なくとも一方により返信する前記応答情報を選択することを特徴とする請求項１に記載の通信システムの応答器。
【請求項３】
前記応答情報選択手段は、前記応答器に配置された回転自在、またはスライド可能な部材であって、
前記部材の回転位置、またはスライド位置により返信する前記応答情報を決定することを特徴とする請求項１に記載の通信システムの応答器。
【請求項４】
各応答情報に対応した複数の前記アンテナを有し、
前記応答情報選択手段は、複数の前記アンテナの内、選択される前記応答情報に対応する前記アンテナのみを機能させることを特徴とする請求項１から３のいずれか１項に記載の通信システムの応答器。
【請求項５】
前記応答情報選択手段は、機能させない前記アンテナを、電波を遮断する材質で覆うことを特徴とする請求項４に記載の通信システムの応答器。
【請求項６】
前記応答情報選択手段は、機能させない前記アンテナを、グランド電極に短絡し、またはグランド電極に抵抗を介して接続することを特徴とする請求項４に記載の通信システムの応答器。
【請求項７】
前記アンテナが接続される各応答情報に対応した複数の入力端子をさらに備え、
前記応答情報選択手段は、選択された前記アンテナのみを応答情報に対応する前記入力端子に接続することを特徴とする請求項４に記載の通信システムの応答器。
【請求項８】
１つの前記アンテナを有し、
前記アンテナが接続される各応答情報に対応した複数の入力端子をさらに備え、
前記応答情報選択手段は、選択された前記応答情報に対応する前記入力端子に前記アンテナを接続することを特徴とする請求項１から３のいずれか１項に記載の通信システムの応答器。
【請求項９】
応答器本体に、前記アンテナが配置されていることを特徴とする請求項８に記載の通信システムの応答器。
【請求項１０】
前記応答情報選択手段に、前記アンテナが配置されていることを特徴とする請求項８に記載の通信システムの応答器。
【請求項１１】
応答器本体に配置され、特定の応答情報に対応する前記アンテナを有し、
前記応答情報選択手段に配置される第２のアンテナと、
前記第２のアンテナが接続される各応答情報に対応した複数の入力端子とをさらに備え、
前記応答情報選択手段は、複数の前記入力端子に対応する応答情報が選択された場合に、選択された前記応答情報に対応する特定の入力端子に前記第２のアンテナを接続するとともに、前記第２のアンテナ以外の前記アンテナを機能させないようにすることを特徴とする請求項１から３のいずれか１項に記載の通信システムの応答器。
【請求項１２】
前記応答情報選択手段は、前記第２のアンテナが前記入力端子に接続される場合に、前記第２のアンテナ以外の前記アンテナを、電波を遮断する材質で覆うことを特徴とする請求項１１に記載の通信システムの応答器。
【請求項１３】
前記応答情報選択手段は、前記第２のアンテナが前記入力端子に接続される場合に、前記第２のアンテナ以外の前記アンテナを、グランド電極に短絡し、またはグランド電極に所定の抵抗を介して接続することを特徴とする請求項１１に記載の通信システムの応答器。
【請求項１４】
前記応答情報選択手段は、記憶手段に記憶されている応答情報の内、いずれの応答情報が選択されているかを視認できることを特徴とする請求項１から１３のいずれか１項に記載の通信システムの応答器。
【請求項１５】
前記アンテナが平面パッチアンテナ、または折り曲げダイポールアンテナ等の一平面に収まるアンテナであることを特徴とする請求項１から１４のいずれか１項に記載の通信システムの応答器。
【発明の詳細な説明】
【０００１】
【発明の属する技術分野】
本発明は、質問器から送信される主搬送波を含む質問波を受信し、受信した質問波を所定の情報で変調して反射返信する通信システムの応答器に関する。
【０００２】
【従来の技術】
各種店舗では、集客力を高めるため顧客（利用者）に対し様々なサービスを展開している。より集客力を高めるためには、顧客全般に対して一般的なサービスを提供するだけでなく、顧客毎に特化したきめ細かいサービスの提供が必要になる。例えば、顧客の過去の購買金額により累積されるポイント数に応じて、顧客に商品の割引や粗品の贈呈の特典を与えるサービスが知られている。例えば、顧客が商品購入時に顧客の個人情報等が記憶されたＩＤカードを店舗側に提示することにより購買金額に対応したポイント数をＩＤカードに記録させる。顧客はＩＤカードに記録されたポイント数に応じた様々なサービスを店舗側から受けることができる。このような顧客に関する情報をＩＤカードにより管理する方法については、ＩＤカードに非接触で顧客情報を読み取ることができる通信機能を備え、顧客が店舗に入るだけで店舗に備え付けられた読取装置により顧客情報を読み取るシステムが提案されている（例えば、特許文献１参照）。このシステムによると、顧客はＩＤカードを店舗側に提示することなくポイントを記録することができる。また、顧客は商品の購入だけでなく、店舗に訪れるだけでポイントを加算するというサービスを受けることができる。
【０００３】
【特許文献１】
特開２００２−１７５４５９号公報
【０００４】
【発明が解決しようとする課題】
しかしながら、前述したシステムによると、通信装置を所持している顧客が店舗に訪問するだけで、顧客が望むか否かに拘わらず自動的に名前や住所などの個人を特定できる情報が店舗側に読み取られることになる。顧客が特典を期待する場合や、信頼できる店舗であればよいが、初めて訪問する店舗や信頼できない店舗の場合でも、個人情報を読み取られることになる。また、顧客の許可を得た情報のみ読み取ると宣言している店舗でも、実際にその情報のみが読み取られているか顧客が確認する手段もなく、顧客の個人情報のセキュリティ面に問題があった。
【０００５】
そこで、本発明は、利用者の個人情報のセキュリティを確保することが可能な通信システムの応答器を提供することを目的とする。
【０００６】
【課題を解決するための手段】
請求項１に記載の通信システムの応答器は、質問器から送信される質問波をアンテナで受信するとともに、前記質問器に対して前記質問波を応答情報により変調し、前記アンテナにより反射して返信する通信システムの応答器であって、複数の前記応答情報を記憶する記憶手段と、前記記憶手段に記憶された複数の前記応答情報の内、いずれの前記応答情報で返信するかを選択する応答情報選択手段とを備えたことを特徴とする。
この構成によると、利用者が提供する情報を選択することができるため、応答器から質問器に返信される利用者の個人情報のセキュリティを確保することができる。
【０００７】
請求項２に記載の通信システムの応答器は、前記応答情報選択手段は、応答器本体が収納される、及び前記応答器本体に取り付けられる前記応答器本体を保護するカバーであって、前記カバーの有無、または前記カバーと前記応答器本体との位置関係の少なくとも一方により返信する前記応答情報を選択することを特徴とする。
この構成によると、応答器本体を保護も兼ねたカバーに収納するという簡単な操作で確実に送信する情報を選択することができる。
【０００８】
請求項３に記載の通信システムの応答器は、前記応答情報選択手段は、前記応答器に配置された回転自在、またはスライド可能な部材であって、前記部材の回転位置、またはスライド位置により返信する前記応答情報を決定することを特徴とする。
この構成によると、応答器に取り付けられている部材を回転またはスライドさせるという簡単な操作で確実に送信する情報を選択することができる。
【０００９】
請求項４に記載の通信システムの応答器は、各応答情報に対応した複数の前記アンテナを有し、前記応答情報選択手段は、複数の前記アンテナの内、選択される前記応答情報に対応する前記アンテナのみを機能させることを特徴とする。
この構成によると、応答情報に対応したアンテナを選択するという簡単な操作で応答情報を選択することができる。
【００１０】
請求項５に記載の通信システムの応答器は、前記応答情報選択手段は、機能させない前記アンテナを、電波を遮断する材質で覆うことを特徴とする。
この構成によると、非接触で簡単に応答情報に対応したアンテナ以外のアンテナを機能しないようにすることができる。
【００１１】
請求項６に記載の通信システムの応答器は、前記応答情報選択手段は、機能させない前記アンテナを、グランド電極に短絡し、またはグランド電極に抵抗を介して接続することを特徴とする請求項４に記載の通信システムの応答器。
この構成によると、選択したい応答情報に対応したアンテナ以外のアンテナをより確実に機能しないようにすることができる。
【００１２】
請求項７に記載の通信システムの応答器は、前記アンテナが接続される各応答情報に対応した複数の入力端子をさらに備え、前記応答情報選択手段は、選択された前記アンテナのみを応答情報に対応する前記入力端子に接続することを特徴とする。
この構成によると、応答情報を選択しない場合は、一切の情報を返信しないため、より一層、利用者の個人情報のセキュリティを確保することができる。
【００１３】
請求項８に記載の通信システムの応答器は、１つの前記アンテナを有し、前記アンテナが接続される各応答情報に対応した複数の入力端子をさらに備え、前記応答情報選択手段は、選択された前記応答情報に対応する前記入力端子に前記アンテナを接続することを特徴とする。
この構成によると、アンテナが１つであるため、応答器の小型、軽量化及び低コスト化を図ることができる。
【００１４】
請求項９に記載の通信システムの応答器は、応答器本体に、前記アンテナが配置されていることを特徴とする。
この構成によると、応答器本体にスペースが確保できる場合に効率よくアンテナを配置することができ、応答器単体でも動作させることができる。
【００１５】
請求項１０に記載の通信システムの応答器は、前記応答情報選択手段に、前記アンテナが配置されていることを特徴とする。
この構成によると、応答器本体にスペースが確保できない場合に効率よくアンテナを配置することができるため、応答器本体の小型、及び軽量化を図ることができる。
【００１６】
請求項１１に記載の通信システムの応答器は、応答器本体に配置され、特定の応答情報に対応する前記アンテナを有し、前記応答情報選択手段に配置される第２のアンテナと、前記第２のアンテナが接続される各応答情報に対応した複数の入力端子とをさらに備え、前記応答情報選択手段は、複数の前記入力端子に対応する応答情報が選択された場合に、選択された前記応答情報に対応する特定の入力端子に前記第２のアンテナを接続するとともに、前記第２のアンテナ以外の前記アンテナを機能させないようにすることを特徴とする。
この構成によると、効率的に複数のアンテナを配置でき、応答器本体を小型化できるとともに応答情報に対応したアンテナを簡単な操作で選択することができる。
【００１７】
請求項１２に記載の通信システムの応答器は、前記応答情報選択手段は、前記第２のアンテナが前記入力端子に接続される場合に、前記第２のアンテナ以外の前記アンテナを、電波を遮断する材質で覆うことを特徴とする請求項１１に記載の通信システムの応答器。
この構成によると、請求項１１の効果に加え、応答情報に対応したアンテナ以外のアンテナを非接触で簡単に機能しないようにすることができる。
【００１８】
請求項１３に記載の通信システムの応答器は、前記応答情報選択手段は、前記第２のアンテナが前記入力端子に接続される場合に、前記第２のアンテナ以外の前記アンテナを、グランド電極に短絡し、またはグランド電極に所定の抵抗を介して接続することを特徴とする。
この構成によると、請求項１１の効果に加え、応答情報に対応したアンテナ以外のアンテナを確実に機能しないようにすることができる。
【００１９】
請求項１４に記載の通信システムの応答器は、前記応答情報選択手段は、記憶手段に記憶されている応答情報の内、いずれの応答情報が選択されているかを視認できることを特徴とする。
この構成によると、複数の応答情報の内、いずれの応答情報が選択されているかを視認することができるため、利用者は、応答情報を正確に選択することができるとともに、選択した応答情報の内容を容易に確認することができる。
【００２０】
請求項１５に記載の通信システムの応答器は、前記アンテナが平面パッチアンテナ、または折り曲げダイポールアンテナ等の一平面に収まるアンテナであることを特徴とする。
この構成によると、アンテナとしてエレメントまたは平面のものを用いることで応答器の薄型化、小型化、及び低コスト化を図ることができる。
【００２１】
【発明の実施の形態】
＜第１の実施の形態＞
以下、本発明の第１の実施の形態について、図面を参照しつつ説明する。図１は、第１の実施の形態に係る通信システム１の全体構成を示す概略図である。
【００２２】
図１に示すように、通信システム１は、利用者が施設内の各売り場を、商品を見ながら歩き回るようなスーパーマーケットやコンビニエンスストアなどの店舗内に配置され、図示しない店舗内ネットワークに接続されている質問器２ａ〜２ｃと、顧客である利用者６ａ〜６ｃが所持するＩＤカードに組み込まれた応答器３ａ〜３ｃ等から構成されている。質問器２ａ〜２ｃは、店舗内の主要な各売り場に配置され、各売り場周辺の利用者６ａ〜６ｃの情報を、応答器３ａ〜３ｃから返信される応答情報を受信することにより収集している。応答器３ａ〜３ｃから返信される応答情報には、一般情報、公開情報、個人情報があり、いずれの応答情報を返信するかは利用者６ａ〜６ｃが選択することができる。ここで、一般情報とは性別、年代、学生・社会人の区別などの一般的な情報である。また、公開情報とは趣味、好みなどのアンケートに記入してもよい情報で個人を特定できない情報である。また、個人情報とは氏名、住所などの個人を特定できる情報や過去に購入した商品に対して与えられるポイント数などの個人管理情報である。尚、応答器３ａ〜３ｃの台数、及び質問器２ａ〜２ｃの設置場所や設置台数は各店舗におけるサービス内容を実現するレベルにおいて自由に設定可能である。
【００２３】
次に質問器２ａ〜２ｃと応答器３ａ〜３ｃとの通信方法の概略について説明する。
まず質問器２ａ〜２ｃから応答器３ａ〜３ｃに対して質問波を送信する。質問器２ａ〜２ｃから送信された質問波を受信した応答器３ａ〜３ｃは、質問波の送信要求に従い、応答情報に基づいて副搬送波を変調し、さらに変調した副搬送波により質問波の反射波を変調して質問器２ａ〜２ｃに応答情報を返信する。この際、応答器３ａ〜３ｃからの返信は周波数ホッピング方式によって返信される。周波数ホッピング方式は、副搬送波の周波数帯域を、複数の周波数帯域（チャンネル）の中から、擬似ランダムに選択する方式である。応答器３ａ〜３ｃは、周波数ホッピング方式により１回の返信毎に副搬送波の周波数帯域をホッピングさせる。このように周波数ホッピング方式を用いることで、同時に返信される複数の反射波が互いに干渉する可能性を低くすることができるとともに、返信される応答情報の機密性を高くすることができる。
【００２４】
以下、図１に示す通信システム１を構成する質問器２ａ〜２ｃ、及び応答器３ａ〜３ｃの構成を順に図面を参照しつつ説明する。
【００２５】
まず、質問器２ａの構成について図２を参照しつつ説明する。図２は、質問器２ａの構成を示すブロック図である。尚、質問器２ｂ，２ｃの構成は質問器２ａと実質的に同等であり、質問器２ａの説明が適用できるため質問器２ｂ，２ｃの詳細は省略する。
【００２６】
質問器２ａは、アナログ回路部１０とデジタル回路部２０とアンテナ１７とを備えている。アナログ回路部１０は、発振器１１と、変調器１２と、電力増幅器１３と、サーキュレータ１４と、低雑音増幅器（Ｌｏｗ  Ｎｏｉｓｅ  Ａｍｐ：ＬＮＡ）１５と、主搬送波復調器１６とから構成されている。
【００２７】
発振器１１は、９００ＭＨｚ、２．４５ＧＨｚ、５ＧＨｚなどの周波数の主搬送波を発振し、発振した主搬送波を変調器１２へ出力する。変調器１２は、質問器２ａ自身のＩＤ番号等を振幅変調（Ａｍｐｌｉｔｕｄｅ  Ｓｈｉｆｔ  Ｋｅｙｉｎｇ：ＡＳＫ）で、発振器１１から入力された主搬送波を変調し、変調した主搬送波を電力増幅器１３へ出力する。電力増幅器１３は、変調器１２で変調された主搬送波の電力を増幅し、サーキュレータ１４へ出力する。サーキュレータ１４は、電力増幅器１３から入力された増幅後の変調された主搬送波をアンテナ１７に伝え、また、アンテナ１７が受信した電波をＬＮＡ１５に伝えるように出力と入力の分離を行う。アンテナ１７に伝えられた増幅後の変調された主搬送波（質問波）がアンテナ１７から放射されることになる。
【００２８】
ＬＮＡ１５は、サーキュレータ１４から入力されるアンテナ１７が受信した応答器３ａ〜３ｃからの反射波を増幅し、主搬送波復調器１６へ出力する。主搬送波復調器１６は、ＬＮＡ１５で増幅された受信信号を発振器１１からの信号とミキシングしてホモダイン検波し、デジタル回路部２０の後述する帯域分割フィルタ２１へ出力する。
【００２９】
デジタル回路部２０は、帯域分割フィルタ２１と、副搬送波復調器２２と、フレーム分割器２３と、フレーム仕分け器２４と、フレーム連結器２５と、コントローラ２６とから構成されている。帯域分割フィルタ２１は、アナログ回路部１０の主搬送波復調器１６でホモダイン検波された受信信号を、アナログ信号からデジタル信号にＡ／Ｄ変換し、このＡ／Ｄ変換された受信信号をフーリエ変換によるフィルタ処理によりホッピング周波数に対応したチャンネルに分離し、分離した信号を逆フーリエ変換により時間系列に変換することで夫々変調された副搬送波信号として取り出し、副搬送波復調器２２へ出力する。副搬送波復調器２２は、帯域分割フィルタ２１で分離された副搬送波信号を復調して元の情報信号を生成し、フレーム分割器２３へ出力する。フレーム分割器２３は、副搬送波復調器２２で生成された各チャンネルからの出力を適正なフレームに分離し、フレーム仕分け器２４へ出力する。フレーム仕分け器２４は、フレーム分割器２３で分割されたフレームを仕分けし、フレーム連結器２５へ出力する。フレーム連結器２５は、フレーム仕分け器２４で仕分けられたフレームを応答器ごとに時系列に連結し、コントローラ２６に出力する。コントローラ２６は、質問器２の全体の制御を司るものである。
【００３０】
次に、応答器３ａの構成について図３を参照しつつ説明する。図３は、応答器３ａの構成を示すブロック図である。尚、応答器３ｂ，３ｃの構成は応答器３ａと実質的に同等であり、応答器３ａの説明が適用できるため応答器３ｂ，３ｃの詳細は省略する。
【００３１】
応答器３ａは、アンテナ３１ａ〜３１ｃと、変復調器３２ａ〜３２ｃと、アンテナ切換え器３３と、デジタル回路部４０とを備えている。
アンテナ３１ａ〜３１ｃは、質問器２ａ〜２ｃから送信される質問波を受信、また、反射波を返信する平面アンテナである。
変復調器３２ａ〜３２ｃは、アンテナ３１ａ〜３１ｃが受信した質問波をそれぞれ復調して、アンテナ切換え器３３へ出力する。また、変復調器３２ａ〜３２ｃは、アンテナ切換え器３３から入力される副搬送波により質問波を変調し、変調波を反射波としてアンテナ３１ａ〜３１ｃから返信する。
アンテナ切換え器３３は、デジタル回路部４０の後述するコントローラ４１の指示により変復調器３２ａ〜３２ｃを介してアンテナ３１ａ〜３１ｃとコントローラ４１との接続を選択的に切換える。切換えられたアンテナ３１ａ〜３１ｃにより受信し、さらに変復調器３２ａ〜３２ｃにより復調した信号を、コントローラ４１に出力する。また、デジタル回路部４０の後述する副搬送波変調器４６により変調された副搬送波を、変復調器３２ａ〜３２ｃを介して反射波を変調し、質問波を受信したアンテナ３１ａ〜３１ｃに出力する。
【００３２】
デジタル回路部４０は、コントローラ４１と、メモリ４４と、副搬送波発振器４５と、副搬送波変調器４６とから構成されている。
メモリ４４は、応答情報等が記憶されている記憶装置である。応答情報の内容は、応答器３ａを所持する利用者６ａに関する情報であり、一般情報と、公開情報と、個人情報とにグループ化されている。
【００３３】
副搬送波発振器４５は、コントローラ４１により決定された周波数の副搬送波を発振するとともに副搬送波変調器４６へ出力する。副搬送波変調器４６は、コントローラ４１の後述する応答情報決定部４３により決定された応答情報に基づいて副搬送波発振器４５から入力された副搬送波を位相変調（Ｐｈａｓｅ  Ｓｈｉｆｔ  Ｋｅｙｉｎｇ：ＰＳＫ）で変調するとともに、アンテナ切換え器３３を介して変復調器３２ａ〜３２ｃへ出力する。コントローラ４１は、応答器３ａの制御を司るものであり、各機能部であるアンテナ判定部４２と、応答情報決定部４３等とを構成する。尚、副搬送波発振器４５及び副搬送波変調器４６は、コントローラ４１のクロックを利用して、ソフト的に構成しても良い。また、副搬送波の変調は、位相変調以外に、周波数変調（Ｆｒｅｑｕｅｎｃｙ  Ｓｈｉｆｔ  Ｋｅｙｉｎｇ：ＦＳＫ）としても良い。また、副搬送波発振器４５及び副搬送波変調器４６を、コントローラ４１内に設け１チップ化しても良い。
【００３４】
次に、コントローラ４１により構成される各機能部について説明する。
アンテナ判定部４２は、アンテナ切換え器３３により変復調器３２ａ〜３２ｃを介してアンテナ３１ａ〜３１ｃとコントローラ４１との接続を順次切換えるとともに、コントローラ４１において入力される信号を確認することで、アンテナ３１ａ〜３１ｃのうちいずれかのアンテナが質問波を受信したかを判定する。
応答情報決定部４３は、アンテナ判定部４２により判定されたアンテナ３１ａ〜３１ｃから、質問器２ａ〜２ｃに返信する応答情報を決定する。具体的には、アンテナ３１ａにより質問波を受信した場合には一般情報を、アンテナ３１ｂにより質問波を受信した場合には公開情報を、アンテナ３１ｃにより質問波を受信した場合には個人情報を応答情報として決定する。応答情報が決定されると夫々の情報をメモリ４４から読み出して副搬送波変調器４６に出力する。
【００３５】
次に、通信システム１における通信について説明する。まず、質問器２ａ〜２ｃにおいて、アナログ回路部１０の発振器１１から主搬送波を発振する。発振器１１により発振された主搬送波は、変調器１２によりグループＩＤの送信要求等を示す情報で振幅変調される。変調器１２により振幅変調された主搬送波は、電力増幅器１３により電力増幅される。電力増幅器１３により電力増幅された主搬送波は、サーキュレータ１４によりアンテナ１７を介して質問波として送信される。
【００３６】
そして、質問器２ａ〜２ｃから送信された質問波は応答器３ａ〜３ｃのアンテナ３１ａ〜３１ｃにより受信される。アンテナ３１により受信された質問波は、変復調器３２ａ〜３２ｃにより復調され、アンテナ切換え器３３を介してコントローラ４１に入力される。コントローラ４１は、アンテナ判定部４２の判定結果から、応答情報決定部４３により応答情報を決定する。そして、周波数ホッピング方式を用いて副搬送波の周波数を決定し、副搬送波発振器４５により決定された周波数の副搬送波を発振する。副搬送波発振器４５により発振された副搬送波は、副搬送波変調器４６により、応答情報決定部４３により決定された応答情報に従って位相変調される。変復調器３２ａ〜３２ｃは、アンテナ切換え器３３を介して質問器２ａ〜２ｃから受信中の質問波を、位相変調された副搬送波により振幅変調或いは位相変調して、アンテナ３１ａ〜３１ｃから変調された反射波として返信する。
【００３７】
そして、応答器３ａ〜３ｃから返信された反射波は、質問器２のアンテナ１７により受信される。アンテナ１７により受信された応答器３ａ〜３ｃからの反射波は、サーキュレータ１４を介してＬＮＡ１５により増幅される。ＬＮＡ１５により増幅された反射波は主搬送波復調器１６により、発振器１１からの信号がミキシングされてホモダイン検波により副搬送波信号が混ざった信号が復調される。主搬送波復調器１６により復調された副搬送波信号が混ざった信号は、帯域分割フィルタ２１により、応答器３ａ〜３ｃ夫々の変調された副搬送波信号として取り出され、夫々副搬送波復調器２２に出力される。
【００３８】
帯域分割フィルタ２１により取り出された夫々の副搬送波信号は、副搬送波復調器２２により復調され情報信号を取り出される。副搬送波復調器２２により取り出された夫々の情報信号は、フレーム分割器２３により、各チャンネルからの出力を適切なフレームに分離される。フレーム分割器２３によりフレームに分離された情報信号は、フレーム仕分け器２４により応答器３ａ〜３ｃ夫々に仕分けられる。フレーム仕分け器２４により仕分けられた情報信号は、フレーム連結器２５により、時系列に連結して応答情報として再構築される。フレーム連結器２５により再構築された応答情報は、コントローラ２６に入力される。
【００３９】
次に、応答器３ａの構造について図４を参照しつつ説明する。図４は、応答器３ａの構造を示す外観図である。尚、応答器３ｂ，３ｃの構造は応答器３ａと実質的に同等であり、応答器３ａの説明が適用できるため応答器３ｂ，３ｃの詳細は省略する。
【００４０】
図４に示すように、応答器３ａは応答器本体５０と、カバー６０とで構成される。応答器本体５０は、薄板形状のカード部材であり、カード部材内に応答器３ａの回路が組み込まれている。応答器本体５０の表面には、格子状に区画された領域５１ａ〜５１ｄが配置されており、領域５１ａには「Ｇ  一般」が、領域５１ｂには「Ａ  公開」が、領域５１ｃには「Ｐ  個人」が、領域５１ｄには「Ｎなし」が夫々印刷されている。そして、領域５１ａ〜５１ｃ内には矩形状の平面アンテナであるアンテナ３１ａ〜３１ｃが夫々配置されている。
【００４１】
カバー６０は、応答器本体５０を収納して保護する、袋状のカバー部材であり、電波遮断部６１と、透過部６２とで構成される。電波遮断部６１は、カーボンファイバやフェライトが埋め込まれ、または金属膜がコーティングされた部材であり、電波を吸収、反射する機能を有する。透過部６２は、電波、及び光を透過する部材である。カバー６０は、応答器本体５０を表裏、または左右を自在に回転して収納することが可能であり、応答器本体５０を収納した状態において、応答器本体５０の領域５１ａ〜５１ｄのいずれか一つの領域のみが透過部６２に覆われ、それ以外の領域は電波遮断部６１に覆われるように構成されている。アンテナ３１ａ〜３１ｃのうちで、領域５１ａ〜５１ｃのなかで電波遮断部６１に覆われた領域に配置されたいずれのアンテナも電波を受信することができないためアンテナとして機能せず、アンテナ３１ａ〜３１ｃのうちで、領域５１ａ〜５１ｃのなかで透過部６２に覆われた領域に配置されたアンテナのみが、質問波を受信するとともに反射波を返信することができる。また、透過部６２は光を透過するため、領域５１ａ〜５１ｄのうち透過部に覆われた領域に印刷された印刷内容を視認することができる。
【００４２】
次に応答器本体５０とカバー６０の関係について図５を参照しつつ説明する。図５は応答器本体５０をカバー６０に収納した状態の外観図である。
通常、応答器３ａは、応答器本体５０をカバー６０内に収納した状態で利用者６ａに所持される。利用者６ａは、応答器本体５０をカバー６０内に収納した状態における、応答器本体５０とカバー６０との位置関係を選択することにより、応答器３ａにより応答情報を返信させないか、または、応答器３ａにより一般情報、公開情報、及び個人情報のいずれの応答情報を返信させるかを選択することができる。
【００４３】
具体的には、図５（ａ）に示すように、利用者６ａが、応答器本体５０の領域５１ａ（「Ｇ  一般」）とカバー６０の透過部６２とが一致する位置関係になるように応答器本体５０をカバー６０に収納すれば、アンテナ３１ｂ，３１ｃが電波遮断部６１により送受信不能になるため、アンテナ３１ａのみが機能するようになる。これにより応答器３ａは一般情報を応答情報として返信するようになる。
また、図５（ｂ）に示すように、利用者６ａが、応答器本体５０の領域５１ｂ（「Ａ  公開」）とカバー６０の透過部６２とが一致する位置関係になるように応答器本体５０をカバー６０に収納すれば、アンテナ３１ａ，３１ｃが電波遮断部６１により送受信不能になるため、アンテナ３１ｂのみが機能するようになる。これにより応答器３ａは公開情報を応答情報として返信するようになる。
また、図５（ｃ）に示すように、利用者６ａが、応答器本体５０の領域５１ｃ（「Ｐ  個人」）とカバー６０の透過部６２とが一致する位置関係になるように応答器本体５０をカバー６０に収納すれば、アンテナ３１ａ，３１ｂが電波遮断部６１により送受信不能になるため、アンテナ３１ｃのみが機能するようになる。これにより応答器３ａは個人情報を応答情報として返信するようになる。
また、図５（ｄ）に示すように、利用者６ａが、応答器本体５０の領域５１ｄ（「Ｎ  なし」）とカバー６０の透過部６２とが一致する位置関係になるように応答器本体５０をカバー６０に収納すれば、全てのアンテナ３１ａ〜３１ｃが電波遮断部６１により送受信不能になるため、応答情報を返信しないようになる。
【００４４】
次に応答器３ａ〜３ｃの動作について図６を参照しつつ説明する。図６は応答器３ａ〜３ｃの動作を示すフローチャートである。
まず、ステップＳ１１０（以下Ｓ１１０と略す、他のステップも同様）に移行し、アンテナ切換え器３３により、変復調器３２ａを介してアンテナ３１ａ（Ｇ一般）とコントローラ４１とを接続する。その後、Ｓ１２０に移行し、コントローラ４１において入力される信号を確認することで、アンテナ３１ａが質問波を受信したかを判定する。
アンテナ３１ａが質問波を受信している場合は（Ｓ１２０：ＹＥＳ）、Ｓ１３０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ１３０：ＹＥＳ）、Ｓ１４０に移行し、メモリ４４に記憶されている一般情報を読み出し、読み出した一般情報を応答情報として質問器２ａ〜２ｃに返信する。その後、Ｓ２３０に移行する。質問器２ａ〜２ｃに応答情報を返信しない場合は（Ｓ１３０：ＮＯ）、Ｓ２３０に移行する。
Ｓ１２０において、アンテナ３１ａが質問波を受信していない場合は（Ｓ１２０：ＮＯ）、Ｓ１５０に移行する。
【００４５】
Ｓ１５０においては、アンテナ切換え器３３により、変復調器３２ｂを介してアンテナ３１ｂ（Ａ  公開）とコントローラ４１とを接続する。その後、Ｓ１６０に移行し、コントローラ４１において入力される信号を確認することで、アンテナ３１ｂが質問波を受信したかを判定する。
アンテナ３１ｂが質問波を受信している場合は（Ｓ１６０：ＹＥＳ）、Ｓ１７０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ１７０：ＹＥＳ）、Ｓ１８０に移行し、メモリ４４に記憶されている公開情報を読み出し、読み出した公開情報を応答情報として質問器２ａ〜２ｃに返信する。その後、Ｓ２３０に移行する。質問器２ａ〜２ｃに応答情報を返信しない場合は（Ｓ１７０：ＮＯ）、Ｓ２３０に移行する。
Ｓ１６０において、アンテナ３１ｂが質問波を受信していない場合は（Ｓ１６０：ＮＯ）、Ｓ１９０に移行する。
【００４６】
Ｓ１９０においては、アンテナ切換え器３３により、変復調器３２ｃを介してアンテナ３１ｃ（Ｐ  個人）とコントローラ４１とを接続する。その後、Ｓ２００に移行し、コントローラ４１において入力される信号を確認することで、アンテナ３１ｃが質問波を受信したかを判定する。
アンテナ３１ｃが質問波を受信している場合は（Ｓ２００：ＹＥＳ）、Ｓ２１０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ２１０：ＹＥＳ）、Ｓ２２０に移行し、メモリ４４に記憶されている個人情報を読み出し、読み出した個人情報を応答情報として質問器２ａ〜２ｃに返信する。その後、Ｓ２３０に移行する。質問器２ａ〜２ｃに応答情報を返信しない場合は（Ｓ２１０：ＮＯ）、Ｓ２３０に移行する。
Ｓ２００において、アンテナ３１ｃが質問波を受信していない場合は（Ｓ２００：ＮＯ）、Ｓ２３０に移行する。
【００４７】
Ｓ２３０においては、質問波の誤認識を防止するため応答器３ａ〜３ｃの受信機能をスリープ状態にする。その後、Ｓ２４０に移行し、所定時間が経過したか否かを判断する。所定時間を経過していない場合は（Ｓ２４０：ＮＯ）、再びＳ２４０に移行し、所定時間を経過するまでＳ２４０を繰り返す。所定時間が経過している場合は（Ｓ２４０：ＹＥＳ）、Ｓ２５０に移行し、スリープ状態を解除して受信機能を再起動し、再びＳ１１０に移行する。
【００４８】
以上、説明した第１の実施の形態では、利用者６ａ〜６ｃが応答情報を容易に選択することができるため、利用者６ａ〜６ｃの個人情報のセキュリティを確保することができる。
【００４９】
また、応答器本体５０を、カバー６０に収納するという簡単な操作でアンテナ３ａ〜３ｃを選択することができ、これにより確実に応答情報を選択することができる。
【００５０】
また、複数の応答情報の内、いずれの応答情報が選択されているかを透過部６２により視認することができるため、利用者３ａ〜３ｃは、応答情報を正確に選択することができるとともに、選択した応答情報の内容を容易に確認することができる。
【００５１】
また、アンテナ３１ａ〜３１ｃとしてエレメントまたは平面のものを用いることで応答器３ａ〜３ｃの小型化、及び低コスト化を図ることができる。
【００５２】
＜第２の実施の形態＞
以下、本発明の第２の実施の形態について、図面を参照しつつ説明する。第２の実施の形態は、応答器３ａ〜３ｃの構造以外は、第１の実施の形態と実質的に同等であり、第１の実施の形態に係る応答器３ａ〜３ｃの構造以外の説明が適用できるため詳細は省略する。
【００５３】
次に、応答器３ａの構造について図７を参照しつつ説明する。図７は、応答器３ａの構造を示す外観図である。尚、応答器３ｂ，３ｃの構造は応答器３ａと実質的に同等であり、応答器３ａの説明が適用できるため応答器３ｂ，３ｃの詳細は省略する。
【００５４】
図７に示すように、応答器３ａは応答器本体５０と、カバー６０とで構成される。応答器本体５０は、薄板形状のカード部材であり、カード部材内に応答器３ａの回路が組み込まれている。応答器本体５０の表面には、格子状に区画された領域５１ａ〜５１ｄが配置されており、領域５１ａには「Ｇ  一般」が、領域５１ｂには「Ａ  公開」が、領域５１ｃには「Ｐ  個人」が、領域５１ｄには「Ｎなし」が夫々印刷されている。そして、領域５１ａ〜５１ｃ内には矩形状の平面アンテナであるアンテナ３１ａ〜３１ｃが夫々配置されており、領域５１ｄ付近にはグランド電極５２が配置されている。尚、アンテナ３１ａ〜３１ｃは、応答器本体５０の表面上にその伝導体部を露出した状態で配置されている。
【００５５】
カバー６０は、応答器本体５０を収納して保護する袋状のカバー部材であり、電極６３ａ，６３ｂと、視認窓６４ａ，６４ｂとを有している。カバー６０は、応答器本体５０を表裏、または左右を自在に回転して収納することが可能である。
電極６３ａ，６３ｂは、カバー６０両面の内側に夫々配置された電極である。電極６３ａ，６３ｂは、応答器本体５０をカバー６０に収納した状態で、領域５１ｄに配置されたグランド電極５２と常に接触するとともに、アンテナ３１ａ〜３１ｃのうち２つまたは全てのアンテナの応答器本体５０の表面上に露出した伝導体部と接触し、グランド電極５２と短絡されることになり、アンテナとして機能しなくなる。
視認窓６４ａ，６４ｂは、カバー６０両面に夫々設けられた窓であり、応答器本体５０の表面に印刷された印刷内容を選択的に視認可能となる位置に設けられている。
電極６３ａ，６３ｂと、視認窓６４ａ，６４ｂとは、視認窓６４ａ，６４ｂにより視認可能な位置にアンテナ３１ａ〜３１ｃに対応する印刷内容が配置される場合は、アンテナ３１ａ〜３１ｃのうち視認可能なアンテナのみが電極６３ａ，６３ｂによりグランド電極５２に短絡されず、視認窓６４ａ，６４ｂにより視認可能な位置にアンテナ３１ａ〜３１ｃに対応する印刷内容が配置されていない場合は、全てのアンテナ３１ａ〜３１ｃがグランド電極５２に短絡される関係にある。
【００５６】
次に応答器本体５０とカバー６０の関係について図８を参照しつつ説明する。図８は応答器本体５０をカバー６０に収納した状態の外観図である。
通常、応答器３ａは、応答器本体５０をカバー６０内に収納した状態で利用者６ａに所持される。利用者６ａは、応答器本体５０をカバー６０内に収納した状態における、応答器本体５０とカバー６０との位置関係を選択することにより、応答器３ａにより応答情報を返信させないか、または、応答器３ａにより一般情報、公開情報、及び個人情報のいずれの応答情報を返信させるかを選択することができる。
【００５７】
具体的には、図８（ａ）に示すように、利用者６ａが、応答器本体５０の領域５１ａの印刷内容（「Ｇ  一般」）とカバー６０の視認窓６４ａとが一致する位置関係になるように応答器本体５０をカバー６０に収納すれば、アンテナ３１ｂ、及びアンテナ３１ｃが電極６３ａによりグランド電極５２に短絡されるため、アンテナ３１ａのみが機能するようになる。これにより応答器３ａは一般情報を応答情報として返信するようになる。
また、図８（ｂ）に示すように、利用者６ａが、応答器本体５０の領域５１ｂの印刷内容（「Ａ  公開」）とカバー６０の視認窓６４ｂとが一致する位置関係になるように応答器本体５０をカバー６０に収納すれば、アンテナ３１ａ、及びアンテナ３１ｃが電極６３ｂによりグランド電極５２に短絡されるため、アンテナ３１ｂのみが機能するようになる。これにより応答器３ａは公開情報を応答情報として返信するようになる。
また、図８（ｃ）に示すように、利用者６ａが、応答器本体５０の領域５１ｃの印刷内容（「Ｐ  個人」）とカバー６０の視認窓６４ｂとが一致する位置関係になるように応答器本体５０をカバー６０に収納すれば、アンテナ３１ａ、及びアンテナ３１ｂが電極６３ｂによりグランド電極５２に短絡されるため、アンテナ３１ｃのみが機能するようになる。これにより応答器３ａは個人情報を応答情報として返信するようになる。
また、図８（ｄ）に示すように、利用者６ａが、応答器本体５０の領域５１ｄの印刷内容（「Ｎ  なし」）とカバー６０の視認窓６４ａとが一致する位置関係になるように応答器本体５０をカバー６０に収納すれば、全てのアンテナ３１ａ〜３１ｃが電極６３ａによりグランド電極５２に短絡されるため、全てのアンテナ３１ａ〜３１ｃが機能しなくなり、応答器３ａは応答情報を返信しないようになる。
【００５８】
以上、説明した第２の実施の形態では、利用者６ａ〜６ｃが応答情報を容易に選択することができるため、利用者６ａ〜６ｃの個人情報のセキュリティを確保することができる。
また、複数の応答情報の内、いずれの応答情報が選択されているかを視認窓６４ａ，６４ｂにより視認することができるため、利用者３ａ〜３ｃは、応答情報を正確に選択することができるとともに、選択した応答情報の内容を容易に確認することができる。
また、電極６３ａ、６３ｂにより確実にアンテナ３１ａ〜３１ｃを機能させなくすることができる。
【００５９】
＜第３の実施の形態＞
以下、本発明の第３の実施の形態について、図面を参照しつつ説明する。第３の実施の形態は、応答器３ａ〜３ｃの構成、及び構造以外は、第１の実施の形態と実質的に同等であり、第１の実施の形態に係る応答器３ａ〜３ｃの構成、及び構造以外の説明が適用できるため詳細は省略する。
【００６０】
次に、応答器３ａの構成について図９を参照しつつ説明する。図９は、応答器３ａの構成を示すブロック図である。尚、応答器３ｂ，３ｃの構成は応答器３ａと実質的に同等であり、応答器３ａの説明が適用できるため応答器３ｂ，３ｃの詳細は省略する。
【００６１】
応答器３ａは、アンテナ３１ａ〜３１ｃと、変復調器３２ａ〜３２ｃと、アンテナ切換え器３３と、デジタル回路部４０とを備えている。
アンテナ３１ａ〜３１ｃは、質問器２ａ〜２ｃから送信される質問波を受信また、反射波を返信する平面アンテナである。アンテナ３１ａ〜３１ｃは、夫々アンテナ端子３６ａ〜３６ｃを備え、アンテナ端子３６ａ〜３６ｃは、後述する電極６５により入力端子３７ａ〜３７ｃと選択的に接続される。
変復調器３２ａ〜３２ｃは、入力端子３７ａ〜３７ｃを備え、入力端子３７ａ〜３７ｃは、後述する電極６５によりアンテナ端子３６ａ〜３６ｃと選択的に接続される。変復調器３２ａ〜３２ｃは、電極６５により接続されたアンテナ３１ａ〜３１ｃが受信した質問波をそれぞれ復調して、アンテナ切換え器３３へ出力する。また、変復調器３２ａ〜３２ｃは、アンテナ切換え器３３から入力される、後述する変調された副搬送波により質問波を変調し、変調された反射波としてアンテナ３１ａ〜３１ｃから返信する。
アンテナ切換え器３３は、コントローラ４１の指示により変復調器３２ａ〜３２ｃを介してアンテナ３１ａ〜３１ｃとコントローラ４１との接続を選択的に切換える。切換えられたアンテナ３１ａ〜３１ｃにより受信し、さらに変復調器３２ａ〜３２ｃにより復調した信号を、コントローラ４１に出力する。また、後述する副搬送波変調器により変調された副搬送波を、変復調器３２ａ〜３２ｃを介して反射波を変調し、質問波を受信したアンテナ３１ａ〜３１ｃに出力する。
【００６２】
デジタル回路部４０は、第１の実施の形態に係るデジタル回路部４０と実質的に同等であり、第１の実施の形態に係るデジタル回路部４０の説明が適用できるため詳細は省略する。
【００６３】
次に、応答器３ａの構造について図１０を参照しつつ説明する。図１０は、応答器３ａの構造を示す外観図である。尚、応答器３ｂ，３ｃの構造は応答器３ａと実質的に同等であり、応答器３ａの説明が適用できるため応答器３ｂ，３ｃの詳細は省略する。
【００６４】
図１０に示すように、応答器３ａは応答器本体５０と、カバー６０とで構成される。応答器本体５０は、薄板形状のカード部材であり、カード部材内に応答器３ａの回路が組み込まれている。応答器本体５０の表面には、格子状に区画された領域５１ａ〜５１ｄが配置されており、領域５１ａには「Ｇ  一般」が、領域５１ｂには「Ａ  公開」が、領域５１ｃには「Ｐ  個人」が、領域５１ａには「Ｎ  なし」が夫々印刷されている。そして、領域５１ａ〜５１ｃ内には矩形状の平面アンテナであるアンテナ３１ａ〜３１ｃが夫々配置されている。また、応答器本体５０の表面中心部には、入力端子３７ａ〜３７ｃが配置されている。アンテナ３１ａ〜３１ｃは、夫々アンテナ端子３６ａ〜３６ｃを有しており、アンテナ端子３６ａ〜３６ｃは、アンテナ３１ａ〜３１ｃの入力端子３７ａ〜３７ｃに最も近い端部に夫々配置されている。
【００６５】
カバー６０は、応答器本体５０を収納して保護する袋状のカバー部材であり、電極６５ａ，６５ｂと、視認窓６４ａ，６５ｂとを有している。カバー６０は、応答器本体５０を表裏、または左右を自在に回転して収納することが可能である。
電極６５ａ，６５ｂは、カバー６０両面の内側に夫々配置された電極である。電極６５ａ，６５ｂは、応答器本体５０をカバー６０に収納した状態で、アンテナ端子３６ａ〜３６ｃと入力端子３７ａ〜３７ｃとを選択的に接続するように接触する。
視認窓６４ａ〜６４ｃは、カバー６０両面に夫々設けられた窓であり、応答器本体５０の表面に印刷された印刷内容を選択的に視認可能となる位置に設けられている。
電極６５ａ，６５ｂと、視認窓６４ａ，６４ｂとは、視認窓６４ａ，６４ｂにより視認可能となる印刷内容に対応するアンテナ３１ａ〜３１ｃのアンテナ端子３６ａ〜３６ｃと、アンテナ端子３６ａ〜３６ｃに最も近い入力端子３７ａ〜３７ｃとが電極６５ａ，６５ｂにより接続されるように夫々配置されている。また、視認窓６４ａ，６４ｂにより視認可能となる印刷内容が「Ｎ  なし」の場合は、全てのアンテナ端子３６ａ〜３６ｃと入力端子３７ａ〜３７ｃとが電極６５ａ，６５ｂにより接続されない位置に配置されている。
【００６６】
次に応答器本体５０とカバー６０の関係について図１１を参照しつつ説明する。図１１は応答器本体５０をカバー６０に収納した状態の外観図である。
通常、応答器３ａは、応答器本体５０をカバー６０内に収納した状態で利用者６ａに所持される。利用者６ａは、応答器本体５０をカバー６０内に収納した状態における、応答器本体５０とカバー６０との位置関係を選択することにより、応答器３ａにより応答情報を返信させないか、または、応答器３ａにより一般情報、公開情報、及び個人情報のいずれの応答情報を返信させるかを選択することができる。
【００６７】
具体的には、図１１（ａ）に示すように、利用者６ａが、応答器本体５０の領域５１ａの印刷内容（「Ｇ  一般」）とカバー６０の視認窓６４ａとが一致する位置関係になるように応答器本体５０をカバー６０に収納すれば、電極６５ａにより、アンテナ端子３６ａと入力端子３７ａとが接続されるため、アンテナ３１ａのみが機能するようになる。これにより応答器３ａは一般情報を応答情報として返信するようになる。
また、図１１（ｂ）に示すように、利用者６ａが、応答器本体５０の領域５１ｂの印刷内容（「Ａ  公開」）とカバー６０の視認窓６４ｂとが一致する位置関係になるように応答器本体５０をカバー６０に収納すれば、電極６５ｂにより、アンテナ端子３６ｂと入力端子３７ｂとが接続されるため、アンテナ３１ｂのみが機能するようになる。これにより応答器３ａは公開情報を応答情報として返信するようになる。
また、図１１（ｃ）に示すように、利用者６ａが、応答器本体５０の領域５１ｃの印刷内容（「Ｐ  個人」）とカバー６０の視認窓６４ｂとが一致する位置関係になるように応答器本体５０をカバー６０に収納すれば、電極６５ｂにより、アンテナ端子３６ｃと入力端子３７ｃとが接続されるため、アンテナ３１ｃのみが機能するようになる。これにより応答器３ａは個人情報を応答情報として返信するようになる。
また、図１１（ｄ）に示すように、利用者６ａが、応答器本体５０の領域５１ｄの印刷内容（「Ｎ  なし」）とカバー６０の視認窓６４ａとが一致する位置関係になるように応答器本体５０をカバー６０に収納すれば、全てのアンテナ端子３６ａ〜３６ｃと全ての入力端子３７ａ〜３７ｃとが接続されないため、全てのアンテナ３１ａ〜３１ｃが機能しなくなり、応答器３ａは応答情報を返信しないようになる。
【００６８】
以上、説明した第３の実施の形態では、第１の実施の形態の効果に加え、応答器本体５０をカバー６０から取り出した場合は、全てのアンテナ３１ａ〜３１ｃが接続されないため、一切の情報を返信せず、一層利用者６ａ〜６ｃの個人情報のセキュリティを確保することができる。
【００６９】
＜第４の実施の形態＞
以下、本発明の第４の実施の形態について、図面を参照しつつ説明する。第４の実施の形態は、応答器３ａ〜３ｃの構成、構造、及び動作以外は、第１の実施の形態と実質的に同等であり、第１の実施の形態に係る応答器３ａ〜３ｃの構成、構造、及び動作以外の説明が適用できるため詳細は省略する。
【００７０】
次に、応答器３ａの構成について図１２を参照しつつ説明する。図１２は、応答器３ａの構成を示すブロック図である。尚、応答器３ｂ，３ｃの構成は応答器３ａと実質的に同等であり、応答器３ａの説明が適用できるため応答器３ｂ，３ｃの詳細は省略する。
【００７１】
応答器３ａは、アンテナ３１と、変復調器３２ａ〜３２ｃと、入力端子切換え器３４と、デジタル回路部４０とを備えている。
アンテナ３１は、質問器２ａ〜２ｃから送信される質問波を受信または、反射波を返信する平面アンテナである。アンテナ３１は、アンテナ端子３６を備え、アンテナ端子３６は、電極６６ａ〜６６ｃにより入力端子３７ａ〜３７ｃと選択的に接続される。
変復調器３２ａ〜３２ｃは、入力端子３７ａ〜３７ｃを備え、入力端子３７ａ〜３７ｃは、電極６６ａ〜６６ｃにより選択的にアンテナ端子３６と接続される。変復調器３２ａ〜３２ｃは、接続されたアンテナ３１が受信した質問波を復調して、入力端子切換え器３４へ出力する。また、変復調器３２ａ〜３２ｃは、入力端子切換え器３４から入力される変調された副搬送波により質問波を変調し、変調波を反射波としてアンテナ３１から返信する。
入力端子切換え器３４は、コントローラ４１の指示によりアンテナ３１のアンテナ端子３６と接続される入力端子３７ａ〜３７ｃとコントローラ４１との接続を選択的に切換える。切換えられた入力端子３７ａ〜３７ｃから入力され、さらに変復調器３２ａ〜３２ｃにより復調された信号を、コントローラ４１に出力する。また、後述する副搬送波変調器により変調された副搬送波を、変復調器３２ａ〜３２ｃを介して反射波を変調し、質問波を受信したアンテナ３１に出力する。
【００７２】
デジタル回路部４０は、コントローラ４１と、メモリ４４と、副搬送波発振器４５と、副搬送波変調器４６とから構成されている。
メモリ４４は、応答情報等が記憶されている記憶装置である。応答情報の内容は、応答器３ａを所持する利用者６ａに関する情報であり、一般情報と、公開情報と、個人情報とにグループ化されている。
【００７３】
副搬送波発振器４５は、コントローラ４１により決定された周波数の副搬送波を発振するとともに副搬送波変調器４６へ出力する。副搬送波変調器４６は、コントローラ４１の後述する応答情報決定部４８により決定された応答情報に基づいて副搬送波発振器４５から入力された副搬送波を位相変調で変調するとともに変復調器３２へ出力する。コントローラ４１は、応答器３ａの制御を司るものであり、各機能部である入力端子判定部４７と、応答情報決定部４８等とを構成する。尚、副搬送波発振器４５及び副搬送波変調器４６は、コントローラ４１のクロックを利用して、ソフト的に構成しても良い。また、副搬送波の変調は、位相変調以外に、周波数変調としても良い。また、副搬送波発振器４５及び副搬送波変調器４６を、コントローラ４１内に設け１チップ化しても良い。
【００７４】
次に、コントローラ４１により構成される各機能部について説明する。
入力端子判定部４７は、入力端子切換え器３４によりアンテナ３１のアンテナ端子３６と接続される入力端子３７ａ〜３７ｃとコントローラ４１との接続を順次切換えるとともに、コントローラ４１において入力される信号を確認することで、入力端子３７ａ〜３７ｃのうちいずれの入力端子にアンテナ３１により受信した質問波を入力されたかを判定する。
応答情報決定部４８は、入力端子判定部４７による入力端子３７ａ〜３７ｃのうちどの入力端子に入力されたかの判定に従って、質問器２ａ〜２ｃに返信する応答情報を決定する。具体的には、入力端子３７ａに質問波が入力された場合には一般情報を、入力端子３７ｂに質問波が入力された場合には公開情報を、入力端子３７ｃに質問波が入力された場合には個人情報を応答情報として決定する。応答情報が決定されると夫々の情報をメモリ４４から読み出して副搬送波変調器４６に出力する。
【００７５】
次に、応答器３ａの構造について図１３を参照しつつ説明する。図１３は、応答器３ａの構造を示す外観図であり、図１３（ａ）は応答器３ａの表面からの、図１３（ｂ）は裏面からの外観図である。尚、応答器３ｂ，３ｃの構造は応答器３ａと実質的に同等であり、応答器３ａの説明が適用できるため応答器３ｂ，３ｃの詳細は省略する。
【００７６】
応答器３ａは応答器本体５０と、カバー６０とで構成される。応答器本体５０は、薄板形状のカード部材であり、カード部材内に応答器３ａの回路が組み込まれている。図１３（ａ）に示すように、応答器本体５０の表面の両端に、「Ｇ  一般」と「Ｎ  なし」とが夫々印刷されている。そして、応答器本体５０の中央部にアンテナ３１が配置され、アンテナ３１の端から「Ｎ  なし」が印刷されている方向に向かって伸びるアンテナ端子３６が配置されている。さらに、アンテナ端子３６に沿うように、応答器本体５０の端から順に入力端子３７ａ〜３７ｃが夫々配置されている。また、図１３（ｂ）に示すように、応答器本体５０の裏面の両端に、「Ａ  公開」と「Ｐ  個人」とが夫々印刷されている。
【００７７】
カバー６０は、応答器本体５０を収納して保護する、一方に開口部が設けられた袋状のカバー部材であり、電極６６ａ〜６６ｃと、視認窓６４とを有している。カバー６０は、応答器本体５０を表裏、または左右を自在に回転して収納することが可能である。
電極６６ａ〜６６ｃは、カバー６０両面の内側に夫々配置された電極である。電極６６ａは、カバー６０の表面の内側に、電極６６ｂ，６６ｃは、カバー６０の裏面の内側に夫々配置されている。電極６６ａ〜６６ｃは、応答器本体５０をカバー６０に収納した状態で、アンテナ端子３６と入力端子３７ａ〜３７ｃとを選択的に接続するように接触する。
視認窓６４は、カバー６０表面に設けられた窓であり、応答器本体５０をカバー６０に収納する位置関係により応答器本体５０の表面に印刷された印刷内容が選択的に視認可能となる。
電極６６ａ〜６６ｃと、視認窓６４とは、視認窓６４により視認可能となる印刷内容に対応する入力端子３７ａ〜３７ｃと、アンテナ端子３６とが電極６６ａ〜６６ｃにより接続されるように夫々配置されている。また、視認窓６４により視認可能となる印刷内容が「Ｎ  なし」の場合は、全ての入力端子３７ａ〜３７ｃとアンテナ端子３６とが電極６６ａ〜６６ｃにより接続されない位置に夫々配置されている。
【００７８】
次に応答器本体５０とカバー６０の関係について図１４を参照しつつ説明する。図１４は応答器本体５０をカバー６０に収納した状態の外観図である。
通常、応答器３ａは、応答器本体５０をカバー６０内に収納した状態で利用者６ａに所持される。利用者６ａは、応答器本体５０をカバー６０内に収納した状態における、応答器本体５０とカバー６０との位置関係を選択することにより、応答器３ａにより応答情報を返信させないか、または、応答器３ａにより一般情報、公開情報、及び個人情報のいずれの応答情報を返信させるかを選択することができる。
【００７９】
具体的には、図１４（ａ）に示すように、利用者６ａが、応答器本体５０の印刷内容（「Ｇ  一般」）とカバー６０の視認窓６４とが一致する位置関係になるように応答器本体５０をカバー６０に収納すれば、電極６６ａにより、アンテナ端子３６と入力端子３７ａとが接続されるため、応答器３ａは入力端子３７ａに対応する一般情報を応答情報として返信するようになる。
また、図１４（ｂ）に示すように、利用者６ａが、応答器本体５０を反転させ、印刷内容（「Ａ  公開」）とカバー６０の視認窓６４とが一致する位置関係になるように応答器本体５０をカバー６０に収納すれば、電極６６ｂにより、アンテナ端子３６と入力端子３７ｂとが接続されるため、応答器３ａは入力端子３７ｂに対応する公開情報を応答情報として返信するようになる。
また、図１４（ｃ）に示すように、利用者６ａが、応答器本体５０を反転させ、印刷内容（「Ｐ  個人」）とカバー６０の視認窓６４とが一致する位置関係になるように応答器本体５０をカバー６０に収納すれば、電極６６ｃにより、アンテナ端子３６と入力端子３７ｃとが接続されるため、応答器３ａは入力端子３７ｃに対応する個人情報を応答情報として返信するようになる。
また、図１４（ｄ）に示すように、利用者６ａが、応答器本体５０の印刷内容（「Ｎ  なし」）とカバー６０の視認窓６４とが一致する位置関係になるように応答器本体５０をカバー６０に収納すれば、全ての入力端子３７ａ〜３７ｃとアンテナ端子３６とが接続されないため、アンテナ３１が機能しなくなり応答器３ａは応答情報を返信しないようになる。
【００８０】
次に応答器３ａ〜３ｃの動作について図１５を参照しつつ説明する。図１５は応答器３ａ〜３ｃの動作を示すフローチャートである。まず、Ｓ３１０に移行し、入力端子切換え器３４により、変復調器３２ａを介して入力端子３７ａ（Ｇ  一般）とコントローラ４１とを接続する。その後、Ｓ３２０に移行し、コントローラ４１において入力される信号を確認することで、アンテナ３１から入力端子３７ａに質問波が入力されたか否かを判定する。
アンテナ３１から入力端子３７ａに質問波が入力された場合は（Ｓ３２０：ＹＥＳ）、Ｓ３３０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ３３０：ＹＥＳ）、Ｓ３４０に移行し、メモリ４４に記憶されている一般情報を読み出し、読み出した一般情報を応答情報として質問器２ａ〜２ｃに返信する。その後、Ｓ４３０に移行する。質問器２ａ〜２ｃに応答情報を返信しない場合は（Ｓ３３０：ＮＯ）、Ｓ４３０に移行する。
Ｓ３２０において、アンテナ３１から入力端子３７ａに質問波が入力されなかった場合は（Ｓ３２０：ＮＯ）、Ｓ３５０に移行する。
【００８１】
Ｓ３５０においては、入力端子切換え器３４により、変復調器３２ｂを介して入力端子３７ｂ（Ａ  公開）とコントローラ４１とを接続する。その後、Ｓ３６０に移行し、コントローラ４１において入力される信号を確認することで、アンテナ３１から入力端子３７ｂに質問波が入力されたか否かを判定する。
アンテナ３１から入力端子３７ｂに質問波が入力された場合は（Ｓ３６０：ＹＥＳ）、Ｓ３７０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ３７０：ＹＥＳ）、Ｓ３８０に移行し、メモリ４４に記憶されている公開情報を読み出し、読み出した公開情報を応答情報として質問器２ａ〜２ｃに返信する。その後、Ｓ４３０に移行する。質問器２ａ〜２ｃに応答情報を返信しない場合は（Ｓ３７０：ＮＯ）、Ｓ４３０に移行する。
Ｓ３６０において、アンテナ３１から入力端子３７ｂに質問波が入力されなかった場合は（Ｓ３６０：ＮＯ）、Ｓ３９０に移行する。
【００８２】
Ｓ３９０においては、入力端子切換え器３４により、変復調器３２ｃを介して入力端子３７ｃ（Ｐ  個人）とコントローラ４１とを接続する。その後、Ｓ４００に移行し、コントローラ４１において入力される信号を確認することで、アンテナ３１から入力端子３７ｃに質問波が入力されたか否かを判定する。
アンテナ３１から入力端子３７ｃに質問波が入力された場合は（Ｓ４００：ＹＥＳ）、Ｓ４１０に移行し、質問器２ａ〜２ｃに応答情報を返信するか否か判断する。応答情報を返信するか否かの判断は、受信した質問波が自局以外の応答器に対する応答要求であるか否か、或いは同一の質問器２ａ〜２ｃからの質問波を所定時間内に連続して受信したか否かで行う。質問器２ａ〜２ｃに応答情報を返信する場合は（Ｓ４１０：ＹＥＳ）、Ｓ４２０に移行し、メモリ４４に記憶されている個人情報を読み出し、読み出した個人情報を応答情報として質問器２ａ〜２ｃに返信する。その後、Ｓ４３０に移行する。質問器２ａ〜２ｃに応答情報を返信しない場合は（Ｓ４１０：ＮＯ）、Ｓ４３０に移行する。
Ｓ４００において、アンテナ３１から入力端子３７ｃに質問波が入力されなかった場合は（Ｓ４００：ＮＯ）、Ｓ４３０に移行する。
【００８３】
Ｓ４３０においては、質問波の誤認識を防止するため応答器３ａ〜３ｃの受信機能をスリープ状態にする。その後、Ｓ４４０に移行し、所定時間が経過したか否かを判断する。所定時間を経過していない場合は（Ｓ４４０：ＮＯ）、再びＳ４４０に移行し、所定時間を経過するまでＳ４４０を繰り返す。所定時間が経過している場合は（Ｓ４４０：ＹＥＳ）、Ｓ４５０に移行し、スリープ状態を解除して受信機能を再起動し、再びＳ３１０に移行する。
【００８４】
以上、説明した第４の実施の形態では、第１の実施の形態の効果に加え、応答器３ａ〜３ｃのアンテナ３１が１つであるため、応答器３ａ〜３ｃの小型、軽量化及び低コスト化を図ることができる。
【００８５】
＜第５の実施の形態＞
以下、本発明の第５の実施の形態について、図面を参照しつつ説明する。第５の実施の形態は、応答器３ａ〜３ｃの構造以外は、第４の実施の形態と実質的に同等であり、第４の実施の形態に係る応答器３ａ〜３ｃの構造以外の説明が適用できるため詳細は省略する。
【００８６】
次に、応答器３ａの構造について図１６を参照しつつ説明する。図１６は、応答器３ａの構造を示す外観図であり、図１６（ａ）は応答器３ａの表面からの、図１６（ｂ）は裏面からの外観図である。尚、応答器３ｂ，３ｃの構造は応答器３ａと実質的に同等であり、応答器３ａの説明が適用できるため応答器３ｂ，３ｃの詳細は省略する。
【００８７】
応答器３ａは応答器本体５０と、カバー６０とで構成される。応答器本体５０は、薄板形状のカード部材であり、カード部材内に応答器３ａの回路が組み込まれている。図１６（ａ）に示すように、応答器本体５０の表面の両端に、「Ｇ  一般」と「Ｎ  なし」とが夫々印刷されている。また、図１６（ｂ）に示すように、応答器本体５０の裏面の両端に、「Ａ  公開」と「Ｐ  個人」とが夫々印刷されている。そして、応答器本体５０の表面の中央部に入力端子３７ａが配置されており、その端部は「Ｇ  一般」が印刷されている方向に伸びている。また、図１６（ｂ）に示すように、応答器本体５０の裏面の両端に、「Ａ  公開」と「Ｐ  個人」とが夫々印刷されている。入力端子３７ｂ、３７ｃは応答器本体５０の表面から、応答器本体の内部を通って裏面中央部に夫々配置されている。応答器本体５０の裏面の中央部にある入力端子３７ｂの端部は「Ａ  公開」が印刷されている方向に伸びている。応答器本体５０の裏面の中央部にある入力端子３７ｃの端部は「Ｐ  個人」が印刷されている方向に伸びている。
【００８８】
カバー６０は、応答器本体５０を収納して保護するカバー部材であり、アンテナ３１と、アンテナ端子３６と、視認窓６４とが配置されている。カバー６０は、応答器本体５０を表裏、または左右を自在に回転して収納することが可能である。
アンテナ３１は、カバー６０の表面の裏面に配置され、アンテナ端子３６は、アンテナ３１のカバー６０の中央部側に配置されている。
視認窓６４は、カバー６０表面に設けられた窓であり、応答器本体５０の表面に印刷された印刷内容を選択的に視認可能となる位置に設けられている。
【００８９】
次に応答器本体５０とカバー６０の関係について図１７を参照しつつ説明する。図１７は応答器本体５０をカバー６０に収納した状態の外観図である。
通常、応答器３ａは、応答器本体５０をカバー６０内に収納した状態で利用者６ａに所持される。利用者６ａは、応答器本体５０をカバー６０内に収納した状態における、応答器本体５０とカバー６０との位置関係を選択することにより、応答器３ａにより応答情報を返信させないか、または、応答器３ａにより一般情報、公開情報、及び個人情報のいずれの応答情報を返信させるかを選択することができる。
【００９０】
具体的には、図１７（ａ）に示すように、利用者６ａが、応答器本体５０の印刷内容（「Ｇ  一般」）とカバー６０の視認窓６４とが一致する位置関係になるように応答器本体５０をカバー６０に収納すれば、アンテナ端子３６と入力端子３７ａとが接続されるため、応答器３ａは入力端子３７ａに対応する一般情報を応答情報として返信するようになる。
また、図１７（ｂ）に示すように、利用者６ａが、応答器本体５０を反転させ、印刷内容（「Ａ  公開」）とカバー６０の視認窓６４とが一致する位置関係になるように応答器本体５０をカバー６０に収納すれば、アンテナ端子３６と入力端子３７ｂとが接続されるため、応答器３ａは入力端子３７ｂに対応する公開情報を応答情報として返信するようになる。
また、図１７（ｃ）に示すように、利用者６ａが、応答器本体５０を反転させ、印刷内容（「Ｐ  個人」）とカバー６０の視認窓６４とが一致する位置関係になるように応答器本体５０をカバー６０に収納すれば、アンテナ端子３６と入力端子３７ｃとが接続されるため、応答器３ａは入力端子３７ｃに対応する個人情報を応答情報として返信するようになる。
また、図１７（ｄ）に示すように、利用者６ａが、応答器本体５０の印刷内容（「Ｎ  なし」）とカバー６０の視認窓６４とが一致する位置関係になるように応答器本体５０をカバー６０に収納すれば、全ての入力端子３７ａ〜３７ｃとアンテナ端子３６とが接続されないため、アンテナ３１が機能しなくなり応答器３ａは応答情報を返信しないようになる。
【００９１】
以上、説明した第５の実施の形態では、第４の実施の形態の効果に加え、アンテナ３１をカバー６０に備えるため、応答器３ａ〜３ｃの構成が分散され、応答器３ａ〜３ｃの軽量化、及び小型化を図ることができる。
【００９２】
以上、本発明の実施の形態について説明したが、本発明は上述の実施の形態に限られるものではなく、特許請求の範囲に記載した限りにおいて、様々な設計変更が可能なものである。例えば、第１の実施の形態では、応答器本体を収納する袋状のカバーにより、複数のアンテナから機能させるアンテナを選択する構成であるが、図１８に示すように、電波遮断部７１と透過部７２とを備えるプレート状のカバー７０を応答器本体５０の上面に取り付けることにより、複数のアンテナ３１ａ〜３１ｃから機能させるアンテナ３１ａ〜３１ｃを選択する構成にしてもよい。
【００９３】
また、第１の実施の形態では、応答器本体を収納するカバーにより、複数のアンテナから機能させるアンテナを選択する構成であるが、図１９に示すように、応答器本体５０に、電波を遮断する材質からなる扇状プレート７３を回転自在に備え、機能させるアンテナ３１ａ〜３１ｃ以外のアンテナ３１ａ〜３１ｃを扇状プレート７３で覆うように扇状プレートを回転させて、複数のアンテナ３１ａ〜３１ｃから機能するアンテナ３１ａ〜３１ｃを選択する構成にしてもよい。また、応答器本体上に、電波を遮断する材質からなる矩形状プレートを摺動自在に備え、機能させるアンテナ以外のアンテナを矩形状プレートで覆うように矩形状プレートをスライドさせて、複数のアンテナから機能するアンテナを選択する構成にしてもよい。
【００９４】
また、第２の実施の形態は、複数のアンテナの中から機能させないアンテナとグランド電極とを直接接続することにより、機能させるアンテナを選択する構成であるが、アンテナとグランド電極を接続する場合に、抵抗を介して接続するような構成でもよい。
【００９５】
また、第１〜第５の実施の形態は、アンテナが応答器本体、またはカバーに配置される構成であるが、図２０に示すように、応答器本体５０とカバー６０との両方にアンテナ３１ａ，３１ｂを備え、カバー６０に備えられたアンテナ３１ｂが応答器本体５０の入力端子３７と接続される場合に、応答器本体５０に備えられたアンテナ３１ａはカバー６０に備えたれた電波遮断部６１に覆われて機能しなくなるような構成にしてもよい。また、その場合の応用として、少なくとも応答器本体とカバーの何れかに複数のアンテナが備えられた構成としても良いことは言うまでもない。例えば、カバーに２つのアンテナ、応答器本体に２つのアンテナが備えられ、応答器本体と挿入されるカバーとの位置関係で４つのアンテナを選択的に機能させ対応する応答情報を簡単に切換えるような構成が本実施例から容易に考えられる。
また、図３、９、１２等で示した本実施例では、アンテナ切換え器は、変復調器とコントローラの間に配置されているが、アンテナと変復調器の間に配置してもよいことは言うまでもない。
また、本実施例では、どのアンテナから受信しているか或いはどの入力端子が接続されているかを質問波の有無で判断しているが、少なくともどの入力端子が接続されているかは、接続を検知する機械的或いは電子的なスイッチを設けて直接判断しても良いことは言うまでもない。
【００９６】
また、第１〜第５の実施の形態は、視認窓を備え、選択した応答情報の内容を視認窓から視認することができる構成であるが、視認窓を備えない構成でもよい。
【００９７】
また、第１〜第５の実施の形態は、アンテナは平面アンテナであるが、図２１（ａ）に示すような平面パッチアンテナ、または図２１（ｂ）に示すような折り曲げダイポールアンテナでもよい。
【００９８】
【発明の効果】
本発明によると、簡単な操作で利用者が応答情報を選択することができるため、利用者の個人情報のセキュリティも確保することができる。
【図面の簡単な説明】
【図１】第１の実施の形態に係る通信システムの全体構成を示す概略図である。
【図２】図１に示す質問器の構成を示すブロック図である。
【図３】図１に示す応答器の構成を示すブロック図である。
【図４】図１に示す応答器の構造を示す外観図である。
【図５】図４に示す応答器本体をカバーに収納した状態の外観図である。
【図６】図１に示す応答器の動作を示すフローチャートである。
【図７】第２の実施の形態に係る応答器の構造を示す外観図である。
【図８】図７に示す応答器本体をカバーに収納した状態の外観図である。
【図９】第３の実施の形態に係る応答器の構成を示すブロック図である。
【図１０】第３の実施の形態に係る応答器の構造を示す外観図である。
【図１１】図１０に示す応答器本体をカバーに収納した状態の外観図である。
【図１２】第４の実施の形態に係る応答器の構成を示すブロック図である。
【図１３】第４の実施の形態に係る応答器の構造を示す外観図である。
【図１４】図１４に示す応答器本体をカバーに収納した状態の外観図である。
【図１５】第４の実施の形態に係る応答器の動作を示すフローチャートである。
【図１６】第５の実施の形態に係る応答器の構造を示す外観図である。
【図１７】図１６に示す応答器本体をカバーに収納した状態の外観図である。
【図１８】第１の実施の形態に係る応答器の変形例の外観図である。
【図１９】第１の実施の形態に係る応答器の変形例の外観図である。
【図２０】第１〜第５の実施の形態に係る応答器の変形例の外観図である。
【図２１】アンテナの変形例である。
【符号の説明】
１  通信システム
２ａ〜２ｃ  質問器
３ａ〜３ｃ  応答器
３１ａ〜３１ｃ  アンテナ
３２ａ〜３２ｃ  変復調器
３３  アンテナ切換え器
４１  コントローラ
４４  メモリ
４５  副搬送波発振器
４６  副搬送波変調器
５０  応答器本体
６０  カバー
６１  電波遮断部
６２  透過部
【図１】
2004297700.tif 000003
【図２】
2004297700.tif 000004
【図３】
2004297700.tif 000005
【図４】
2004297700.tif 000006
【図５】
2004297700.tif 000007
【図６】
2004297700.tif 000008
【図７】
2004297700.tif 000009
【図８】
2004297700.tif 000010
【図９】
2004297700.tif 000011
【図１０】
2004297700.tif 000012
【図１１】
2004297700.tif 000013
【図１２】
2004297700.tif 000014
【図１３】
2004297700.tif 000015
【図１４】
2004297700.tif 000016
【図１５】
2004297700.tif 000017
【図１６】
2004297700.tif 000018
【図１７】
2004297700.tif 000019
【図１８】
2004297700.tif 000020
【図１９】
2004297700.tif 000021
【図２０】
2004297700.tif 000022
【図２１】
2004297700.tif 000023